(57)【要約】【課題】ＡＤＦ装置が筐体に対して閉塞している状態のときに、ＡＤＦ装置の筐体からの浮き上がりを防止できる画像読取装置及び画像形成装置を提供する。【解決手段】開放されたガラス部材３０を原稿押さえカバー３２が閉塞したときに、ブロック部材５０が回転軸４６上を爪部材６２側に移動し、爪部材６２に対して所定の圧力を作用させて押圧する。このとき、爪部材６２とブロック部材５０との間には相互に所定の圧力が作用し、この圧力が抵抗力として原稿押さえカバー３２の開閉動作を補助する弾性力に対抗する。【選択図】      図２
2009213034.tif 000002
【特許請求の範囲】
【請求項１】
筐体と、前記筐体に設けられ原稿が置かれるガラス部材と、前記筐体に対して回動可能に設けられ弾性体の弾性力を利用した開閉動作により前記ガラス部材を開放又は閉塞するカバー部材と、前記カバー部材に設けられ原稿を読取部位に送る原稿自動送り装置と、を有する画像読取装置であって、
前記カバー部材に設けられる第１圧力部材と、
前記筐体に設けられ開放された前記ガラス部材を前記カバー部材が閉塞したときに前記第１圧力部材側に移動し前記第１圧力部材を所定の圧力で押圧して前記カバー部材の前記筐体からの浮き上がりを防止し、閉塞された前記ガラス部材を前記カバー部材が開放したときに前記第１圧力部材側と反対側に移動し前記第１圧力部材と非接触になる第２圧力部材と、
開放された前記ガラス部材を前記カバー部材が閉塞したときに前記第２圧力部材を前記第１圧力部材側に移動させ、閉塞された前記ガラス部材を前記カバー部材が開放したときに前記第１圧力部材側と反対側に移動させる移動機構と、
を有することを特徴とする画像読取装置。
【請求項２】
前記移動機構は、
外周面に前記第２圧力部材を誘導する誘導溝が形成され、回転に伴い前記第２圧力部材が前記誘導溝に沿って移動する軸部材と、
前記カバー部材から作用する押圧力を前記軸部材の回転力に変換する力変換部材と、
を有することを特徴とする請求項１に記載の画像読取装置。
【請求項３】
前記第１圧力部材の前記第２圧力部材に対する接触部位には、上端部から下端部にかけて傾斜し、前記下端部が前記第２圧力部材側に突出した第１傾斜面が形成され、
前記第２圧力部材の前記第１圧力部材に対する接触部位には、上端部から下端部にかけて傾斜し、前記上端部が前記第１圧力部材側に突出した第２傾斜面が形成され、
前記カバー部材が前記ガラス部材を閉塞したときに前記第１傾斜面と前記第２傾斜面とが相互に圧接し、前記第１傾斜面の前記下端部と前記第２傾斜面の前記上端部とが相互に係合していることを特徴とする請求項２に記載の画像読取装置。
【請求項４】
請求項１乃至３のいずれか１項に記載の画像読取装置を備えたことを特徴とする画像形成装置。
【発明の詳細な説明】
【技術分野】
【０００１】
本発明は、筐体と、筐体に設けられ原稿が置かれるガラス部材と、筐体に対して回動可能に設けられガラス部材を開放又は閉塞するカバー部材と、カバー部材に設けられ原稿を読取部位に送る原稿自動送り装置と、を備えた画像読取装置及び画像形成装置に関する。
【背景技術】
【０００２】
従来の画像形成装置の中には、筐体上部に位置するガラス面の上側に、ＡＤＦ装置（Ａｕｔｏ  Ｄｏｃｕｍｅｎｔ  Ｆｅｅｄｅｒ：原稿自動送り装置）を搭載したカバー部材を備えたものがある。ＡＤＦ装置には、ＡＤＦ装置に供給する原稿を載せるための原稿トレイが接続されている。そして、原稿トレイは、ＡＤＦ装置から排出された原稿の取り出し時、あるいはＡＤＦ装置における原稿詰まり時の操作性を良くするために、手動で所定の軸回りに回動させることができるように構成されている。また、カバー部材は、筐体のガラス面を開放又は閉塞することができるように、筐体に対して開閉自在に設けられている。
【０００３】
ここで、カバー部材の開閉動作が軽く円滑にできるように、カバー部材は強力なスプリングが仕込まれたヒンジを介して筐体に取り付けられている。これにより、スプリングの弾性力を利用してカバー部材の開閉動作を行うことができ、カバー部材の開閉動作が軽く円滑になる。
【特許文献１】特開２００１−２４２５６３号公報
【特許文献２】特開平５−１９５６３号公報
【発明の開示】
【発明が解決しようとする課題】
【０００４】
ところで、上記従来技術によれば、ヒンジに組み込んだスプリングの弾性力により、カバー部材が筐体に対して閉じた状態において、カバー部材が筐体のガラス面から浮き上がってしまうことがある。カバー部材が筐体のガラス面から浮き上がってしまうと、カバー部材の設定に手間取り、また、ガラス面に置かれた原稿を読み取る際に、光が漏れて画質不良になることがある。また、カバー部材が浮き上がると、筐体のガラス面とカバー部材との隙間が目立ち、見栄えが悪くなって、意匠性の点から問題になる。さらに、原稿をＦＡＸ送信するＦＡＸ装置のみがメンテナンス時等に傾く仕様の場合、ＦＡＸ装置が傾いたときにＡＤＦ装置のみがさらに開いてしまうことがあり、ＡＤＦ装置が閉時のときにはＡＤＦ装置がロックされていることが好ましい。
【０００５】
そこで、本発明は、ＡＤＦ装置が筐体に対して閉塞している状態のときに、ＡＤＦ装置の筐体からの浮き上がりを防止できる画像読取装置及び画像形成装置を提供することを目的とする。
【課題を解決するための手段】
【０００６】
本願第１発明は、筐体と、前記筐体に設けられ原稿が置かれるガラス部材と、前記筐体に対して回動可能に設けられ弾性体の弾性力を利用した開閉動作により前記ガラス部材を開放又は閉塞するカバー部材と、前記カバー部材に設けられ原稿を読取部位に送る原稿自動送り装置と、を有する画像読取装置であって、前記カバー部材に設けられる第１圧力部材と、前記筐体に設けられ開放された前記ガラス部材を前記カバー部材が閉塞したときに前記第１圧力部材側に移動し前記第１圧力部材を所定の圧力で押圧して前記カバー部材の前記筐体からの浮き上がりを防止し、閉塞された前記ガラス部材を前記カバー部材が開放したときに前記第１圧力部材側と反対側に移動し前記第１圧力部材と非接触になる第２圧力部材と、開放された前記ガラス部材を前記カバー部材が閉塞したときに前記第２圧力部材を前記第１圧力部材側に移動させ、閉塞された前記ガラス部材を前記カバー部材が開放したときに前記第１圧力部材側と反対側に移動させる移動機構と、を有することを特徴とする。
【０００７】
本願第１発明によれば、開放されたガラス部材をカバー部材が閉塞したときに、第２圧力部材が移動機構により第１圧力部材側に移動させられ、第１圧力部材に対して所定の圧力を作用させて押圧する。このとき、第１圧力部材と第２圧力部材との間には相互に所定の圧力が作用し、この圧力が抵抗力としてカバー部材の開閉動作を補助する弾性力に対抗する。この結果、原稿自動送り装置を搭載したカバー部材の重力と上記抵抗力との合計値が弾性力よりも大きくなるため、カバー部材の筐体からの浮き上がりを防止する（カバー部材のロック機能の実現）。
【０００８】
なお、閉塞されたガラス部材をカバー部材が開放したときに、第２圧力部材は移動機構により第１圧力部材側と反対側に移動させられるため、第１圧力部材と第２圧力部材と非接触の状態になる。これにより、カバー部材を開放動作するときに、第１圧力部材と第２圧力部材との間に作用する圧力が開放動作を妨げることがなくなり、カバー部材の開放動作を円滑にすることができる。
【０００９】
本願第２発明は、本願第１発明に記載の画像読取装置において、前記移動機構は、外周面に前記第２圧力部材を誘導する誘導溝が形成され、回転に伴い前記第２圧力部材が前記誘導溝に沿って移動する軸部材と、前記カバー部材から作用する押圧力を前記軸部材の回転力に変換する力変換部材と、を有することを特徴とする。
【００１０】
本願第２発明によれば、移動機構の力変換部材により、カバー部材から作用する押圧力が軸部材の回転力に変換される。そして、軸部材が回転することにより、第２圧力部材が誘導溝を誘導される形で軸部材上を移動する。このように、カバー部材から作用する押圧力を利用することにより、第２圧力部材を容易に移動させることができる。この結果、カバー部材の閉塞状態のときに、第１圧力部材と第２圧力部材とを常に圧接させることができ、カバー部材のロック機能の精度を高めることができる。
【００１１】
本願第３発明は、本願第２発明に記載の画像読取装置において、前記第１圧力部材の前記第２圧力部材に対する接触部位には、上端部から下端部にかけて傾斜し、前記下端部が前記第２圧力部材側に突出した第１傾斜面が形成され、前記第２圧力部材の前記第１圧力部材に対する接触部位には、上端部から下端部にかけて傾斜し、前記上端部が前記第１圧力部材側に突出した第２傾斜面が形成され、前記カバー部材が前記ガラス部材を閉塞したときに前記第１傾斜面と前記第２傾斜面とが相互に圧接し、前記第１傾斜面の前記下端部と前記第２傾斜面の前記上端部とが相互に係合していることを特徴とする。
【００１２】
本願第３発明によれば、カバー部材がガラス部材を閉塞したときに第１傾斜面と第２傾斜面とが相互に圧接し、第１傾斜面の下端部と第２傾斜面の上端部とが相互に係合する。これにより、第１圧力部材と第２圧力部材との間に作用する圧力に、第１傾斜面の下端部と第２傾斜面の上端部との係合力が加わって抵抗力となり、カバー部材の開閉動作を補助する弾性力に対抗する。この結果、カバー部材のロック機能を高めることができ、カバー部材の浮き上がりを確実に防止できる。
【００１３】
また、本願第４発明として、請求項１乃至３のいずれか１項に記載の画像読取装置を備えた画像形成装置が好ましい。
【発明の効果】
【００１４】
本発明によれば、ＡＤＦ装置が筐体に対して閉塞している状態のときに、ＡＤＦ装置の筐体からの浮き上がりを防止できる。
【発明を実施するための最良の形態】
【００１５】
次に、本発明の第１実施形態に係る画像読取装置及び画像形成装置について、図面を参照して説明する。なお、以下では、本発明の画像読取装置を備えた画像形成装置について説明する。
【００１６】
図１に示すように、画像形成装置１０は、筐体本体１２を備えている。この筐体本体１２の内部には、用紙に所定の画像を形成するための画像形成部１４が配置されている。筐体本体１２の上部には、筐体上部（筐体）１６が設けられている。筐体上部１６の内部には、セットした原稿の画像を読み取る画像読取部１８が設けられている。筐体上部１６の上面には、原稿を載せるガラス部材３０が配置されている。また、筐体上部１６には、画像形成に関する動作を入力するための操作部２０が設けられている。また、筐体上部１６には、ガラス部材３０を開放又は閉塞する原稿押さえカバー（カバー部材）３２が取り付けられている。この原稿押さえカバー３２は、所定軸の軸回りに回動可能となるように設けられている。原稿押さえカバー３２は、筐体上部１６に対してスプリングを組み込んだヒンジを介して取り付けられている。このため、原稿押さえカバー３２を開ける場合（ガラス部材３０を開放する場合）には、スプリングの弾性力が原稿押さえカバー３２に作用する重力に逆らって原稿押さえカバー３２を押し上げるように作用するため、小さな力で原稿押さえカバー３２を開けることができる。一方、開けた状態の原稿押さえカバー３２を閉める場合（ガラス部材３０を閉塞する場合）には、スプリングの弾性力が原稿押さえカバー３２に作用する重力に逆らって原稿押さえカバー３２を押し上げるように作用するため、原稿押さえカバー３２が勢い良く閉まってしまうことがない。また、原稿押さえカバー３２の上面には、原稿を所定の読取部位に送るためのＡＤＦ装置（Ａｕｔｏ  Ｄｏｃｕｍｅｎｔ  Ｆｅｅｄｅｒ：原稿自動送り装置）２２が設けられている。また、ＡＤＦ装置２２には、ＡＤＦ装置２２に供給する原稿を載せるための原稿トレイが接続されている。この原稿トレイは、所定軸の軸回りに回動可能に構成されている。
【００１７】
筐体本体１２の底部には、筐体下部２４が設けられている。この筐体下部２４には、複数の用紙収容カセット２６、２８が引き出し可能に設けられている。具体的には、重力作用方向上流側には、第１用紙収容カセット２６が設けられており、第１用紙収容カセット２６の重力作用方向下側には、第２用紙収容カセット２８が設けられている。
【００１８】
ここで、筐体上部１６及び原稿押さえカバー３２には、原稿押さえカバー３２がガラス部材３０を閉塞した状態を維持させる（原稿押さえカバー３２の浮き上がりを防止する）ためのロック機構３４が設けられている。
【００１９】
図２及び図３に示すように、ロック機構３４は、アーム部材（力変換部材、移動機構）３６を備えている。このアーム部材３６は、一方側に延びる第１アーム片３８と、第１アーム片３８から９０度開いた方向に延びる第２アーム片４０と、を有している。また、アーム部材３６は、筐体上部１６の内部に配置されており、アーム部材３６の第１アーム片３８の先端部が筐体上部１６に形成された開口部４２から外部上方に突出可能となっている。
【００２０】
第２アーム片４０の先端部には、コイルばね（力変換部材、移動機構）４４の一方側端部が接続されている。このコイルばね４４の他方側端部は、筐体上部１６の内部に取り付けられている。第２アーム片４０には、コイルばね４４の弾性力が作用する構成になっており、第１アーム片３８が下方に押されたときには、第２アーム片４０はコイルばね４４の弾性力により下側に引っ張られている。また、第２アーム片４０には、回転軸（軸部材、移動機構）４６の一方側端部が取り付けられている。この回転軸４６の外周面には、軸方向に沿って延びる湾曲状の誘導溝４８が形成されている。回転軸４６が回転した場合には、誘導溝４８により後述のブロック部材（第２圧力部材）５０を回転軸４６の軸方向に移動させることが可能になる。なお、回転軸４６の他方側端部は、筐体上部１６の内部に回転可能となるように支持されている。
【００２１】
ここで、回転軸４６には、ブロック部材５０が係合されている。このブロック部材５０は、回転軸４６上に位置するブロック本体５２と、ブロック本体５２に設けられ爪部材（第１圧力部材）６２に圧接可能な圧力部５４と、を備えている。ブロック本体５２には、回転軸４６が貫通する通し穴５６が形成されている。この通し穴５６の内面には、回転軸４６の誘導溝４８に入り込み誘導溝４８に沿って移動可能な突起部５８が形成されている。また、圧力部５４には、爪部材６２の傾斜面（第１傾斜面）６４と圧接する傾斜面（第２傾斜面）６０が形成されている。すなわち、図４に示すように、この傾斜面６０は、圧力部５４の上端部から下端部にかけて傾斜し、上端部６０Ａが下端部６０Ｂよりも、対向する爪部材６２の傾斜面６４側に突出することにより、形成されている。
【００２２】
また、原稿押さえカバー３２の裏面には、ロック機構３４を構成する爪部材６２が取り付けられている。爪部材６２には、圧力部５４の傾斜面６０に対して圧接する傾斜面６４が形成されている。すなわち、爪部材６２の傾斜面６４は、爪部材６２の上端部６４Ａから下端部６４Ｂにかけて傾斜し、下端部６４Ｂが上端部６４Ａよりも、対向する圧力部５４の傾斜面６０側に突出することにより、形成されている。なお、ブロック部材５０の質量（重量）は、爪部材６２の質量（重量）と比較して大きくなるように設定されている。
【００２３】
ロック機構３４の動作として、回転軸４６が回転することにより、ブロック部材５０が回転軸４６の誘導溝４８に導かれるようにして、回転軸４６の軸方向に移動する。詳細には、回転軸４６が一方側に回転した場合には、ブロック部材５０が回転軸４６の軸方向一方側に移動し、回転軸４６が反対方側に回転した場合には、ブロック部材５０が回転軸４６の軸方向他方側に移動する。そして、原稿押さえカバー３２がガラス部材３０を閉塞した状態では、ブロック部材５０の圧力部５４の傾斜面６０と爪部材６２の傾斜面６４とが相互に圧接する。このように、原稿押さえカバー３２がガラス部材３０を閉塞した状態から開放した状態に移るとき、又は、原稿押さえカバー３２がガラス部材３０を開放した状態から閉塞した状態に移るとき、ブロック部材５０は、回転軸４６の誘導溝４８により軸方向に導かれて移動する。
【００２４】
なお、ブロック部材５０の圧力部５４の傾斜面６０と爪部材６２の傾斜面６４には、摩擦係数の高いゴムが配置されていることが好ましい。これにより、圧力部５４の傾斜面６０と爪部材６２の傾斜面６４とが圧接した状態で、原稿押さえカバー３２に作用するスプリングの弾性力に起因して発生する摩擦力が格段に大きくなるため、原稿押さえカバー３２の浮き上がりを防止するためのロック機構３４のロック性能を高めることができる。
【００２５】
また、図１に示すように、本実施形態の画像読取装置１１は、例えば、画像形成装置１０に設けられているスキャナ装置であり、筐体上部（筐体）１６と、画像読取部１８と、ガラス部材３０と、操作部２０と、原稿押さえカバー（カバー部材）３２と、ＡＤＦ装置２２と、ロック機構３４と、で構成されている。
【００２６】
次に、本実施形態の画像読取装置を備えた画像形成装置の作用及び効果について説明する。なお、以下では、原稿押さえカバー３２（ＡＤＦ装置２２）が開いてガラス部材３０を開放している状態を基準にして説明する。
【００２７】
図３及び図４（Ａ）に示すように、原稿押さえカバー３２がガラス部材３０を開放した状態（図１に示す状態）では、ブロック部材５０は、アーム部材３６側に位置している（図３中の破線参照）。この状態では、ブロック部材５０の圧力部５４と爪部材６２とは、非接触の状態である（図４（Ａ）参照）。
【００２８】
そして、原稿押さえカバー３２を下側に回動させてガラス部材３０を閉塞した場合には、原稿押さえカバー３２の裏面によりアーム部材３６の第１アーム片３８の先端部が下方に押圧される。第１アーム片３８の先端部が原稿押さえカバー３２の裏面により下方に押圧されたときに、第２アーム片４０に作用するコイルばね４４の弾性力に対抗する形で回転軸４６が回転し、第１アーム片３８が下方に下がるとともに、第２アーム片４０が上方に上がる。このように、原稿押さえカバー３２がガラス部材３０を開放した状態から閉塞した状態に移行したときに、アーム部材３６及び回転軸４６が回転する。
【００２９】
回転軸４６が回転した場合には、ブロック部材５０は、その突起部５８が誘導溝４８の内周面に押される形で誘導されて、爪部材６２側に移動する。そして、原稿押さえカバー３２がガラス部材３０を閉塞した状態では、ブロック部材５０の圧力部５４の傾斜面６０と爪部材６２の傾斜面６４とが相互に所定の圧力を及ぼし合って圧接された状態になっている。このため、原稿押さえカバー３２にスプリングの弾性力が上方向に作用した状態では、圧力部５４の傾斜面６０と爪部材６２の傾斜面６４との間に相互に作用する圧力が抵抗力となって、原稿押さえカバー３２の浮き上がりを阻止する。
【００３０】
ここで、図４（Ｂ）に示すように、ブロック部材５０の圧力部５４の傾斜面６０と爪部材６２の傾斜面６０とが相互に圧接された状態では、圧力部５４の傾斜面６０の上端部６０Ａと、爪部材６２の傾斜面６４の下端部６４Ｂと、が上下方向に係合した状態になる。このため、爪部材６２が上方向に移動しようとしても、ブロック部材５０の圧力部５４の上端部６０Ａが阻止することになり、爪部材６２、ひいては原稿押さえカバー３２の上方向の移動が阻止される。
【００３１】
以上のように、原稿押さえカバー３２がガラス部材３０を閉塞した状態では、スプリングの弾性力が原稿押さえカバー３２に対して上方向に作用しているが、ブロック部材５０の圧力部５４の傾斜面６０と爪部材６２の傾斜面６４との間に相互に作用する圧力がスプリングの弾性力よりも大きくなってスプリングの弾性力に打ち勝つことになる。これにより、原稿押さえカバー３２にスプリングから弾性力が作用している場合でも、原稿押さえカバー３２の閉動作を維持し、原稿押さえカバー３２をロックしておくことができる。そして、特に、圧力部５４の傾斜面６０の上端部６０Ａと爪部材６２の傾斜面６４の下端部６４Ｂとが上下方向に係合する状態になるため、スプリングの弾性力に起因する原稿押さえカバー３２の浮き上がりを確実に阻止することができる。
【００３２】
なお、原稿押さえカバー３２を開動作させてガラス部材３０を開放する場合には、原稿押さえカバー３２を上方に持ち上げる必要があるが、このとき、原稿押さえカバー３２に上向きに作用する力が、圧力部５４の傾斜面６０と爪部材６２の傾斜面６４との間に生じる摩擦力、及び、上端部６０Ａと下端部６４Ｂとの係合力の合力よりも大きくなる。このため、原稿押さえカバー３２の開動作が可能になる。
【００３３】
また、原稿押さえカバー３２がガラス部材３０を閉塞した状態から開放した状態に移行するときに、原稿押さえカバー３２の裏面からアーム部材３６の第１アーム片３８に作用していた押圧力が解除される。このため、第２アーム片４０に作用するコイルばね４４の弾性力（引張力）により、回転軸４６が逆方向に回転し、第２アーム片４０が下方向に移動し、第１アーム片３８が上方に移動する。すなわち、原稿押さえカバー３２がガラス部材３０を閉塞した状態から開放した状態に移行する場合の回転軸４６の回転方向には、原稿押さえカバー３２がガラス部材３０を開放した状態から閉塞した状態に移行する場合の回転軸４６の回転方向と反対方向になり、回転軸４６が逆回転する。これにより、ブロック部材５０の突起部５８が回転軸４６の誘導溝４８の内周面から逆方向に向かって押される形で誘導され、ブロック部材５０が回転軸４６上をアーム部材３６側に移動する。この結果、ブロック部材５０の圧力部５２と爪部材６２とは非接触になり、相互に圧力が作用しなくなる（抵抗力がゼロになる）。このため、原稿押さえカバー３２によりガラス部材３０を閉塞した状態から開放した状態に移行するときと、原稿押さえカバー３２によりガラス部材３０を開放した状態から閉塞した状態に移行するときの原稿押さえカバー３２の開閉動作が円滑になる。
【００３４】
また、回転軸４６の回転に伴ってブロック部材５０を回転軸４６の軸方向に誘導するため、簡易な構成でブロック部材５０を回転軸４６の軸方向に移動させることができる。また、アーム部材３６とコイルばね４４との相乗的な作用（力学関係）により、原稿押さえカバー３２からの押圧力を回転軸４６の回転力に変換することができる。この結果、回転軸４６を回転駆動させるための駆動源（駆動モータなど）を用いることなく、原稿押さえカバー３２に必然的に作用する力を利用して回転軸４６を回転させることができる。
【００３５】
さらに、上述したロック機構３４は、一部となる爪部材６２が原稿押さえカバー３２の裏面に取り付けられ、大部分が筐体上部１６の内部に収容されているため、原稿押さえカバー３２を閉じたときに画像形成装置１０の外観上にロック機構３４を視認することができなくなる。このため、画像形成装置１０の意匠性を損なうことがない。また、ロック機構３４が画像形成装置１０（筐体上部１６）の内部に収容されているため、ロック機構３４に他の物品等が接触し、あるいは衝突することがないため、ロック機構３４が破損してしまうことを防止できる。すなわち、ロック機構３４を画像形成装置１０の内部に収容することにより、画像形成装置１０（筐体上部１６）を保護筐体として利用することができるため、意匠性の維持と同時に、ロック機構３４の破損を防止できる。
【図面の簡単な説明】
【００３６】
【図１】本発明の第１実施形態に係る画像読取装置を備えた画像形成装置の斜視図である。
【図２】本発明の第１実施形態に係る画像読取装置を備えた画像形成装置のロック機構の構成を示した斜視図である。
【図３】本発明の第１実施形態に係る画像読取装置を備えた画像形成装置のロック機構の構成を示した平面図である。
【図４】（Ａ）は、本発明の第１実施形態に係る画像読取装置を備えた画像形成装置のロック機構の第１圧力部材の第１傾斜面と第２圧力部材の第２傾斜面とが係合する前の状態を示した構成図であり、（Ｂ）は、それらが係合した後の状態を示した構成図である。
【符号の説明】
【００３７】
１０      画像形成装置
１１      画像読取装置
１６      筐体上部（筐体）
２２      ＡＤＦ装置（原稿自動送り装置）
３０      ガラス部材
３２      原稿押さえカバー（カバー部材）
３６      アーム部材（力変換部材、移動機構）
４４      コイルばね（力変換部材、移動機構）
４６      回転軸（軸部材、移動機構）
５０      ブロック部材（第２圧力部材）
６０      傾斜面（第２傾斜面）
６２      爪部材（第１圧力部材）
６４      傾斜面（第１傾斜面）
【図１】
2009213034.tif 000003
【図２】
2009213034.tif 000004
【図３】
2009213034.tif 000005
【図４】
2009213034.tif 000006